(57)【要約】【課題】明るく清潔さを基調とした清潔感が高いルームとし、しかも利用者に対し癒やしと健康感とを与えることができるビジネスホテルルーム構造を提供する。【解決手段】仕切壁によって複数に区画した各ルームの床面Ｐ上に、少なくともベッドＱ、浴室あるいは浴槽、トイレ室、洗面所を設置して成るビジネスホテルルーム構造の少なくとも床面ＰおよびベッドＱを合成繊維ラッシュによる畳表６を備えた畳敷構造とする。畳表６は、太番手のポリプロピレン繊維のマルチフィラメントを緯に配して成る人工ラッシュに、ナイロンの撚糸を経に配して畳糸として引目状もしくは目積状の畳目に織成して成るものとし、さらに畳表６には光触媒加工を施す。【選択図】図１
2007197917.tif 000002
【特許請求の範囲】
【請求項１】
仕切壁によって複数に区画された各ルームの床面上に、少なくともベッド、浴室あるいは浴槽、トイレ室、洗面所を設置して成るビジネスホテルルーム構造において、少なくとも床面およびベッドを合成繊維ラッシュによる畳表を備えた畳敷構造としたことを特徴とするビジネスホテルルーム構造。
【請求項２】
浴室、トイレ室、洗面所が合成繊維ラッシュによる畳表を備えた畳敷構造としたことを含む請求項１記載のビジネスホテルルーム構造。
【請求項３】
床面を合成繊維ラッシュによる畳表を備えた畳敷構造とし、浴槽・便器・洗面台を一体的に構成したバスルームユニットを配置して成る請求項１または２記載のビジネスホテルルーム構造。
【請求項４】
床面を合成繊維ラッシュによる畳表を備えた畳敷構造とし、浴槽・便器・洗面台を一体的に構成したバスルームユニットを配置し、ベッドは上框を介して設けられたフローリング上に配し、合成繊維ラッシュによる畳表を備えた畳敷構造としてある請求項１または２記載のビジネスホテルルーム構造。
【請求項５】
床面を合成繊維ラッシュによる畳表を備えた畳敷構造とし、浴室と、洗面台を有するトイレ室とが仕切壁によって仕切られ、浴室は、簀子状の桧床と浴槽とによって構成して成る請求項１または２記載のビジネスホテルルーム構造。
【請求項６】
床面を合成繊維ラッシュによる畳表を備えた畳敷構造とし、簀子状の桧床と浴槽とによって構成した浴室を配置し、ベッドは上框を介して設けられたフローリング上に配し、合成繊維ラッシュによる畳表を備えた畳敷構造としてある請求項１または２記載のビジネスホテルルーム構造。
【請求項７】
床面を合成繊維ラッシュによる畳表を備えた畳敷構造とし、簀子状の桧床と浴槽とによって構成した浴室を配置し、浴室、洗面所、トイレ室それぞれが仕切られて成る請求項１または２記載のビジネスホテルルーム構造。
【請求項８】
床面を合成繊維ラッシュによる畳表を備えた畳敷構造とし、少なくともサウナ室、脱衣棚、手水鉢、マッサージ機、浴槽を配置して成る入浴設備を施して成ることを特徴とするビジネスホテルルーム構造。
【請求項９】
隣接したシングルルームのいずれか一方は、床面を合成繊維ラッシュによる畳表を備えた畳敷構造とすると共にサウナ室を備えたものとし、他方は床面を合成繊維ラッシュによる畳表を備えた畳敷構造とすると共に浴槽を備えたものとし、また隣接したシングルルーム相互間の仕切壁に相互に出入り可能なドアを設けたことを特徴とするビジネスホテルルーム構造。
【請求項１０】
畳表は、太番手のポリプロピレン繊維のマルチフィラメントを緯に配して成る人工ラッシュに、ナイロンの撚糸を経に配して畳糸として引目状もしくは目積状の畳目に織成して成る請求項１乃至９のいずれか記載のビジネスホテルルーム構造。
【請求項１１】
畳表には、光触媒加工を施してある請求項１乃至１０のいずれか記載のビジネスホテルルーム構造。
【請求項１２】
畳敷構造は、発泡合成樹脂から成る芯材の片面に、ナイロン・モノフィラメントの三次元立体網編物、多孔加工による通気プレート、多孔加工による通気クッションシートそれぞれを介して前記畳表が被覆されると共に、前記ラッシュに直交する側縁部には畳縁チャンネル部材を嵌着させて成る請求項１乃至１１のいずれか記載のビジネスホテルルーム構造。
【請求項１３】
畳敷構造は、強化ポリスチレンフォームから成る芯材の下面に防水・防塵・防黴シートを布設し、上面に強化プラスチックによる中空ボード、多孔加工による通気クッションシートそれぞれを介して前記畳表が被覆されると共に、前記ラッシュに直交する側縁部には畳縁チャンネル部材を嵌着させて成る請求項１乃至１２のいずれか記載のビジネスホテルルーム構造。
【請求項１４】
畳敷構造は、強化ポリスチレンフォームから成る芯材の下面に木繊維を合成して成る硬質性ボード材を介して多孔加工による通気クッションシートを布設し、上面には木繊維を合成して成る硬質性ボード材、多孔加工による通気クッションシートそれぞれを介して前記畳表が被覆されると共に、前記ラッシュに直交する側縁部には、畳縁チャンネル部材を嵌着させて成る請求項１乃至１２のいずれか記載のビジネスホテルルーム構造。
【請求項１５】
畳縁チャンネル部材は、ステンレス製の薄板を溝形に折曲加工し、その表面にポリプロピレン繊維を織成して撥水加工を施した畳縁布を接着して成る請求項１２乃至１４のいずれか記載のビジネスホテルルーム構造。
【請求項１６】
畳敷構造には、遠赤外線ＰＴＣヒーターを内蔵させている請求項１乃至１５のいずれか記載のビジネスホテルルーム構造。
【発明の詳細な説明】
【技術分野】
【０００１】
本発明は、いわゆるビジネスホテルの利用者に対し、健康・癒やし・クリーン性を提供することを可能とした新規スタイルのビジネスホテルルーム構造に係り、特にビジネスホテルにおける洋室構造のシングルルームを和風にリニューアルできるビジネスホテルルーム構造に関する。
【背景技術】
【０００２】
従来におけるビジネスホテルは、その多くが単身で宿泊できるシングルルームとなる部屋面積とし、各ルームの床面が絨毯（カーペット）仕上げの洋風型式となっているのが殆どである。そして床面には、ベッド、テレビ、冷蔵庫、エアコン、テーブル、デスク、イス、食器棚、衣類箪笥等を設置すると共に、浴槽、便器、洗面台等を一体的構造にしたバスルームユニットを配備してある。またバスルームユニット内の浴槽は、ホーロー浴槽による簡易なユニットバスを使用している。
【特許文献１】特になし
【発明の開示】
【発明が解決しようとする課題】
【０００３】
しかしながら、このような従来のシングルルームにおいては、床面が絨毯仕上げの洋式となっているため、裸足で歩くのには不向きで、国内での日本人自身である多くの利用者に対し日本古来の畳敷のように癒やしの効果を与えることができない。また、従来のような絨毯仕上げの床面では不潔感があって、しかも暗いイメージが与えることが強かった。  
【０００４】
このような従来の欠点を解消するには、例えば藺草等の天然素材を使った従来型の和風旅館にみられる畳を敷設するのが一方法である。ただ、このような天然素材による畳では強度が非常に弱いため、歩くときの足裏による摩擦や、テーブル、デスク、イス等の移動による摩擦、その他の物体摩擦等によって畳表が契れたりケバ立ったりして見た目が非常に悪くなる。このように畳が傷付く毎に畳替えをすると、そのためにランニングコストが高くなる問題点を有していた。特に近時は日本産の藺草が高価であるために、廉価な中国製等の海外品を使用することが多くなっている。しかしながら海外品は品質的に良好なものではなく、長期にわたる使用は困難で、頻繁な畳替えが必要となっている。
【０００５】
そこで、本発明は叙上のような従来存した諸事情に鑑み創出されたもので、本発明の目的は、明るく清潔さを基調とした清潔性が高いルームとし、しかも利用者に対し癒やしと健康感とを与えることを可能にさせることにある。また、従来とは全く異なるスタイルでインバウンドの対応可能なスタイルルームとなり、しかも人手のかからない低ランニングコストルームとすることにある。更に既設のビジネスホテルにおけるシングルルームを簡単にリニューアルして設備可能とする和風のビジネスホテルルーム構造を提供することにある。
【課題を解決するための手段】
【０００６】
上述した課題を解決するため、本発明にあっては、仕切壁によって複数に区画された各ルームの床面Ｐ上に、少なくともベッドＱ、浴室Ｙあるいは浴槽Ｇ、トイレ室（ＷＣ）、洗面所（ＷＳ）を設置して成るビジネスホテルルーム構造において、少なくとも床面ＰおよびベッドＱを合成繊維ラッシュによる畳表６を備えた畳敷構造としたものである。
浴室Ｙ、トイレ室（ＷＣ）、洗面所（ＷＳ）が合成繊維ラッシュによる畳表６を備えた畳敷構造としたことを含むものとすることができる。
具体的には、例えば床面Ｐを合成繊維ラッシュによる畳表６を備えた畳敷構造とし、浴槽Ｇ・便器ＷＣ・洗面台ＷＳを一体的に構成したバスルームユニットＵＢを配置して成る。
床面Ｐを合成繊維ラッシュによる畳表６を備えた畳敷構造とし、浴槽Ｇ・便器ＷＣ・洗面台ＷＳを一体的に構成したバスルームユニットＵＢを配置し、ベッドＱは上框を介して設けられたフローリングＦ上に配し、合成繊維ラッシュによる畳表６を備えた畳敷構造としてある。
床面Ｐを合成繊維ラッシュによる畳表６を備えた畳敷構造とし、浴室Ｙと、洗面台ＷＳを有するトイレ室（ＷＣ）とが仕切壁によって仕切られ、浴室Ｙは、簀子状の桧床Ｈと浴槽Ｇとによって構成して成る。
床面Ｐを合成繊維ラッシュによる畳表６を備えた畳敷構造とし、簀子状の桧床Ｈと浴槽Ｇとによって構成した浴室Ｙを配置し、ベッドＱは上框を介して設けられたフローリングＦ上に配し、合成繊維ラッシュによる畳表６を備えた畳敷構造としてある。
床面Ｐを合成繊維ラッシュによる畳表６を備えた畳敷構造とし、簀子状の桧床Ｈと浴槽Ｇとによって構成した浴室Ｙを配置し、浴室Ｙ、洗面所（ＷＳ）、トイレ室（ＷＣ）それぞれが仕切られて成る。
床面Ｐを合成繊維ラッシュによる畳表６を備えた畳敷構造とし、少なくともサウナ室ＳＧ、脱衣棚、手水鉢、マッサージ機、浴槽Ｇを配置して成る入浴設備を施して成る。
隣接したシングルルームのいずれか一方は、床面Ｐを合成繊維ラッシュによる畳表６を備えた畳敷構造とすると共にサウナ室ＳＧを備えたものとし、他方は床面Ｐを合成繊維ラッシュによる畳表６を備えた畳敷構造とすると共に浴槽Ｇを備えたものとし、また隣接したシングルルーム相互間の仕切壁に相互に出入り可能なドアＤを設ける。
また、畳表６は、太番手のポリプロピレン繊維のマルチフィラメントを緯に配して成る人工ラッシュに、ナイロンの撚糸を経に配して畳糸として引目状もしくは目積状の畳目に織成して成るものとし、さらに畳表６には光触媒加工を施してある。
畳敷構造は、発泡合成樹脂から成る芯材２の片面に、ナイロン・モノフィラメントの三次元立体網編物３、多孔加工による通気プレート４、多孔加工による通気クッションシート５それぞれを介して前記畳表６が被覆されると共に、前記人工ラッシュに直交する側縁部には畳縁チャンネル部材９を嵌着させて成る。
畳敷構造は、強化ポリスチレンフォームから成る芯材２の下面に防水・防塵・防黴シート１０を布設し、上面に強化プラスチックによる中空ボード１１、多孔加工による通気クッションシート５それぞれを介して前記畳表６が被覆されると共に、前記ラッシュに直交する側縁部には畳縁チャンネル部材９を嵌着させて成る。
畳敷構造は、強化ポリスチレンフォームから成る芯材２の下面に木繊維を合成して成る硬質性ボード材１３を介して多孔加工による通気クッションシート５を布設し、上面には木繊維を合成して成る硬質性ボード材１３、多孔加工による通気クッションシート５それぞれを介して前記畳表６が被覆されると共に、前記ラッシュに直交する側縁部には畳縁チャンネル部材９を嵌着させて成る。
畳縁チャンネル部材９は、ステンレス製の薄板７を溝形に折曲加工し、その表面にポリプロピレン繊維を織成して撥水加工を施した畳縁布８を接着して成る。
畳敷構造には、遠赤外線ＰＴＣヒーター１２を内蔵させることができる。
畳敷構造は、階層される各部材（２，３，４，５，６，７，１０，１１，１２）が接着によって一体化されて成る。
【０００７】
以上のように構成された本発明に係るビジネスホテルルーム構造にあって、合成繊維ラッシュによる畳表６を備えた畳敷構造は、明るく清潔さを基調とした清潔性が高いルームを形成させ、また利用者に対し癒やしと健康を付与させる。
また、ビジネスホテルにおける既設の主としてシングルルームの絨毯を敷き詰めた洋風部屋を、各部材の搬入等によって畳が敷き詰められる和風部屋にリニューアルさせ、日本人が主たる利用者となるビジネスホテル等の宿泊施設を変更させ得る。
太番手のポリプロピレン繊維のマルチフィラメントを緯に配して成る人工ラッシュに、ナイロンの撚糸を経に配して畳糸として引目状もしくは目積状の畳目に織成して成る畳表６は、摩擦による損傷、変色・退色の発生、ダニ・カビ等の発生を防止させ、利用者に対し癒やしと健康を付与させる和やかなルームとしての長期間の使用を可能にさせる。
発泡合成樹脂から成る芯材２の片面に、ナイロン・モノフィラメントの三次元立体網編物３、多孔加工による通気プレート４、多孔加工による通気クッションシート５それぞれを介して畳表６が被覆されて成る畳敷構造は、通気性を良好にさせると同時に畳敷構造自体の洗剤、水洗い等による清掃を可能にさせる。
強化ポリスチレンフォームから成る芯材２の下面に防水・防塵・防黴シート１０を布設し、上面に強化プラスチックによる中空ボード１１、多孔加工による通気クッションシート５それぞれを介して畳表６が被覆されて成る畳敷構造は、高強度性、軽量性、撥水性、通気性を良好にさせると同時に、畳敷構造自体の洗剤、水洗い等による清掃を可能にさせる。
強化ポリスチレンフォームから成る芯材２の下面に木繊維を合成して成る硬質性ボード材１３を介して多孔加工による通気クッションシート５を布設し、上面には木繊維を合成して成る硬質性ボード材１３、多孔加工による通気クッションシート５それぞれを介して畳表６が被覆される畳敷構造は、物理的強度を増大させ、例えば椅子、テーブルその他の家具類が直接に置かれても、それらに対する耐摩耗性、耐荷重性を向上させる。
【発明の効果】
【０００８】
本発明によれば、明るく清潔さを基調とした清潔性が高い、いわゆるクリーンルームとし、しかも利用者に対し癒やしと健康感とを与えることができる。また従来とは全く異なるスタイルでインバウンドの対応可能なスタイルルームとなり、しかも人手のかからない低ランニングコストルームとなる。そればかりでなく、既設のビジネスホテルにおける洋風のシングルルームを簡単にリニューアルでき、各部材の搬入等によって和風のビジネスホテルルーム構造を設備可能にする効果がある。
【０００９】
すなわちこれは本発明が、少なくとも床面ＰおよびベッドＱを合成繊維ラッシュによる畳表６を備えた畳敷構造としたからである。これによって、利用者に対し癒やしと健康を与えることができるのに加えて、畳表６の強度を非常に強くできるため、歩くときの足裏による摩擦や、テーブル、デスク、イス等の家具類の移動による摩擦、その他の物体摩擦等によって畳表６が契れたりケバ立ったりすることが皆無となる。しかも畳が傷付くことが無く長期にわたって使用できるため、従来のような度々なる畳替えが不要となり、これによってランニングコストも低減できる。
【００１０】
浴室Ｙ、トイレ室（ＷＣ）、洗面所（ＷＳ）が合成繊維ラッシュによる畳表６を備えた畳敷構造としたことを含むので、浴室Ｙ、トイレ室（ＷＣ）、洗面所（ＷＳ）全体を明るく清潔さを基調とした清潔性が高いルームとすることができ、しかも利用者に対し癒やしと健康を与えることができる。特に、浴室Ｙの中の和らぎと同時に利用者の浴室Ｙ内での転倒による怪我に対する床緩衝材としての機能を十分に発揮できる。
【００１１】
特にシングルルームを主体とするいわゆるビジネスホテルにおいて、それらの各部屋が絨毯が敷かれた洋風空間であるのを、床面Ｐが畳を主体とする和風空間に変更でき、シングルルームをリニューアルすることで得られる利用者の満足感を期待できる。また浴槽Ｇ・便器ＷＣ・洗面台ＷＳを一体的構造とするバスルームユニットＵＢの配置、浴室Ｙ、トイレ室（ＷＣ）、洗面所（ＷＳ）等との仕切り配置形態、相互に隣接するシングルルームそれぞれのサウナ室ＳＧあるいは浴室Ｙへの変更等を適宜に組合せて選択でき、多様に作成されたリニューアルプランの施工を可能にする。
【００１２】
また、既存のいわゆるビジネスホテルにおける各ルーム夫々に大きな改造を施さずに、所定の畳本体１を敷き詰めるだけでも比較的に安価に変更設置もできる。
【００１３】
畳表６は、太番手のポリプロピレン繊維のマルチフィラメントを緯に配して成る人工ラッシュに、ナイロンの撚糸を経に配して畳糸として引目状もしくは目積状の畳目に織成して成るので、約１５年以上もの長期間にわたって経時変化（日焼けによる変色等）が無く、無変色・無退色を維持できる。しかも物理強度が大きく、高強度であることに加えて、耐水性・耐候性を有するためダニ・カビ等が発生せず、さらに低コストで畳敷構造を作製できる。また、タバコの火等による焼損時においては、畳表６自体は大きく炭化しないためその補修作業も容易に行える。
【００１４】
畳表６には、光触媒加工を施してあるので、ルーム内の悪臭である例えばタバコの煙に含まれるアンモニア等を酸化分解して消臭する消臭効果、畳表６に付着した雑菌の増殖を防ぐ抗菌効果、日常発生する畳の汚れの有機系物質を酸化分解する。そのため、清潔な面を保つセルフクリーニング効果、ホルムアルデヒド等のシックハウス症候群の発生物質を酸化分解して健康な生活空間を形成するシックハウス症候群防止効果を発揮できる。
【００１５】
畳敷構造は、発泡合成樹脂から成る芯材２の片面に、ナイロン・モノフィラメントの三次元立体網編物３、多孔加工による通気プレート４、多孔加工による通気クッションシート５それぞれを介して前記畳表６が被覆されると共に、前記ラッシュに直交する側縁部には畳縁チャンネル部材９を嵌着させて成るので、撥水性、通気性が非常に良好なことも相俟って、適時、水洗い等を施すことで常時清潔に保つことができる。
【００１６】
畳敷構造は、強化ポリスチレンフォームから成る芯材２の下面に防水・防塵・防黴シート１０を布設し、上面に強化プラスチックによる中空ボード１１、多孔加工による通気クッションシート５それぞれを介して前記畳表６が被覆されると共に、前記ラッシュに直交する側縁部には畳縁チャンネル部材９を着脱自在に嵌着させて成るので、高強度性、軽量性、撥水性、通気性等が非常に良好なことも相俟って、適時、水洗い等を施すことで常時清潔に保つことができる。
【００１７】
畳敷構造は、強化ポリスチレンフォームから成る芯材２の下面に木繊維を合成して成る硬質性ボード材１３を介して多孔加工による通気クッションシート５を布設し、上面には木繊維を合成して成る硬質性ボード材１３、多孔加工による通気クッションシート５それぞれを介して前記畳表６が被覆されると共に、前記ラッシュに直交する側縁部には畳縁チャンネル部材９を嵌着させて成るので、部屋の備品であるベット、テーブル、椅子、各種調度品等の家具類の重量に十分に耐えることができる。特にビジネスホテルにおけるハードな使用頻度によっても長期に亘って使用可能にし、またキャスター付き台車、キャスター付きビジネスバッグ等の使用にも十分に耐え得る。
【００１８】
畳縁チャンネル部材９は、ステンレス製の薄板７を溝形に折曲加工し、その表面にポリプロピレン繊維を織成して撥水加工を施した畳縁布８を接着して成るので、畳本体１自体が水洗可能であることと相俟ち、適時、水洗い等を施すことで常時清潔に保つことができる。
【００１９】
畳敷構造には、遠赤外線ＰＴＣヒーター１２を内蔵させているので、冬場においては、畳敷構造自体を従来の床暖房として使用できる。
【００２０】
畳敷構造は、階層される各部材すなわち芯材２、三次元立体網編物３、通気プレート４、通気クッションシート５、畳表６、薄板７、防水・防塵・防黴シート１０、中空ボード１１、遠赤外線ＰＴＣシート１２等が接着によって一体化されて成るので、従来であれば畳床、畳表等を、各種素材を重ね合わせ糸によって重ね縫いする縫着手段で製作されることで生じる針孔等に進入するダニ・カビ等の繁殖が極めて少なく、衛生的に健康なものとできる。
【００２１】
尚、上記の課題を解決するための手段、発明の効果の項夫々において付記した符号は、図面中に記載した構成各部を示す部分との参照を容易にするために付した。これによって本発明が、図面中の符号によって示された構造・形状に限定されるものではない。
【発明を実施するための最良の形態】
【００２２】
以下、図面を参照して本発明を実施するための最良の一形態を説明する。図において示される符号１は、本発明に係るビジネスホテルルーム構造を形成するよう仕切壁によって区画された各ルームのうちの一つである例えば一人宿泊用のいわゆるシングルルーム内の床面Ｐ上に敷設した畳本体である。該畳本体１は、図８乃至図１０に示すように、合成繊維ラッシュの畳表６を備えた後述する畳敷構造によって形成してある。
【００２３】
図１に示すように、天井には天付蛍光灯を導入した明るいシーリング照明Ｌが設置され、畳本体１を敷設した床面Ｐ上には、同じ畳本体１を敷設して成るシングル用のベッドＱの他に、冷蔵庫、座卓用のイス、テーブル等の各種調度品、家具類が配置されている。奥側の窓Ｗには例えば経木のスダレが取り付けられている。
【００２４】
また、図２に示すように、ルームの出入口Ｓ側にはカーペットタイルＲを敷設し、上框を介して床面Ｐに通じている。これに隣接して洗浄機構付の便器ＷＣと、洗面台ＷＳと、浴槽Ｇとが一体的構造となっている例えば木目調等のダイノックシート貼の既存のバスルームユニットＵＢが配備されている。尚、仕切壁、天井それぞれの表面には、水拭き可能なビニール平面タイプクロスが貼設されている。
【００２５】
畳表６は、例えば山葵色または山吹色等に着色した太さ約０．２〜０．３ｍｍ程度の太番手のポリプロピレン繊維のマルチフィラメントを緯に配して成る人工ラッシュ（人工藺草）に、ナイロンの撚糸を経に配して畳糸として引目状もしくは目積状の畳目に織成して構成されている。そして、この畳表６には、酸化チタンを触媒として太陽光や蛍光灯に含まれる紫外線が照射されることにより有機物を二酸化炭素と水とに分解する光触媒加工が施されることにより、消臭・抗菌効果、セルフクリーニング効果、シックハウス症候群防止効果それぞれを有するものとしてある。
【００２６】
具体的な畳敷構造としては、図８に示すように、例えば発泡スチレン、発泡ポリオレフィン系樹脂等の耐荷重性・耐水性・化学的安定性を有する発泡合成樹脂から成る芯材２の片面に、ナイロン・モノフィラメントの三次元立体網編物３を張設し、この上に多孔加工による通気プレート４を張設し、さらにこの上に多孔加工による波形構造の通気クッションシート５を介して前記畳表６が被覆されることによって形成する。尚、三次元立体網編物３は、上下に配した一対のシート部材相互間に無数の可撓性フィラメント材を架橋したもので、シート部材相互間の全体的な肉厚幅は例えば約１０ｍｍ前後としてあり、適度なクッション性を備えている。
【００２７】
さらに他の具体的な畳敷構造としては、図９に示すように、強化ポリスチレンフォーム等の発泡合成樹脂から成る芯材２の下面に防水・防塵・防黴シート１０を布設し、上面に強化プラスチックによる中空ボード１１を張設し、その上に多孔加工による通気クッションシート５を介して前記畳表６が被覆されることによって形成する。この防水・防塵・防黴シート１０としては、例えば不織布もしくは合成樹脂フィルム等に、周知の防黴剤、銀イオン抗菌剤、防臭剤等を含浸させることによって形成される。
【００２８】
あるいは、図１０に示すように、強化ポリスチレンフォームから成る芯材２の下面に木繊維を合成して成る硬質性ボード材１３を介して多孔加工による通気クッションシート５を布設し、上面には木繊維を合成して成る硬質性ボード材１３、多孔加工による通気クッションシート５それぞれを介して前記畳表６が被覆されることによって形成する。硬質性ボード材１３は、木繊維を所定の硬度となるように圧縮成型して板状に合成したもので、ＭＤＦボードと称されている。
【００２９】
そして、人工ラッシュに直交する側縁部には、ＡＢＳ樹脂製またはステンレス製の薄板７を溝形に折曲加工し、その表面に、ポリプロピレン繊維を織成して撥水加工を施した畳縁布８を接着して成る畳縁チャンネル部材９を嵌着させてある。
【００３０】
また、図１１に示すように、畳敷構造における発泡合成樹脂から成る芯材２に例えば矩形平面状の窪みを形成し、この窪みと畳表６との間に形成される空間に、遠赤外線ＰＴＣヒーター１２が内蔵敷設されることで、畳本体１自体が床暖房として機能できるようにする。
【００３１】
図３には、本発明に係るビジネスホテルルーム構造の他の例が示されている。すなわち本例においてはルーム内の窓Ｗが位置する側に、上框を介してフローリングＦを設け、この上に畳本体１を敷設して成るシングル用のベッドＱが設置されている。また、浴槽Ｇ・便器ＷＣ・洗面台ＷＳを一体的に構成したバスルームユニットＵＢを配置することで、水回り設備としてある。もとより、浴室Ｙ、トイレ室（ＷＣ）、洗面所（ＷＳ）等を仕切壁によって仕切構成することも可能である。
【００３２】
図４には、本発明に係るビジネスホテルルーム構造の更に他の例が示されている。すなわち本例においては浴室Ｙと、洗面台ＷＳを有するトイレ室（ＷＣ）とが仕切壁によって仕切られており、また浴室Ｙは、例えば簀子状の桧床Ｈと平面で楕円形状とした例えば陶器による浴槽Ｇとによって構成されている。
【００３３】
図５には、本発明に係るビジネスホテルルーム構造の更に他の例が示されている。すなわち本例においてはルーム内の窓Ｗのある奥側に例えば簀子状の桧床Ｈと平面で円形状の例えば陶器による浴槽Ｇとによって構成された浴室Ｙが配備されており、またルーム内中央の仕切壁寄りには上框を介してフローリングＦを設け、この上に畳本体１を敷設して成るシングル用のベッドＱが設置されている。
【００３４】
図６には、本発明に係るビジネスホテルルーム構造の更に他の例が示されている。すなわち本例においては相互に隣接する一人用のシングルルームを繋げ、中央に配置されることになる仕切壁の一部を取り外して、あるいは既設のツイン構成の二人用のツインルームからのリニューアル変更可能なプランとなるように構成してある。図示のように畳本体１を敷設した床面Ｐ上には、同じく畳本体１を敷設して成るシングル用のベッドＱが二つ並べて配置され、さらに例えば簀子状の桧床Ｈと平面で楕円形状の例えば陶器による浴槽Ｇとによって構成されている浴室Ｙと、好ましくは洗浄機構付の便器ＷＣを備えたトイレ室、洗面台ＷＳを備えた洗面所それぞれが仕切られた構造としている。
【００３５】
図７には、本発明に係るビジネスホテルルーム構造の更に他の例が示されている。すなわち本例においては、相互に隣接する一人用のシングルルームを繋げ、中央に配置されることになる仕切壁の一部に例えばガラス製の開閉するドアＤを設けて全体としてタイプが異なる二つの浴室Ｙとなるように構成してある。
【００３６】
すなわち一方のルームにはサウナ室ＳＧあるいは浴槽Ｇを備え、床面Ｐには本発明の畳敷構造による畳本体１が敷設され、そこには脱衣棚、手水鉢、マッサージ機等が設置されていることで入浴設備を施し、洗面台ＷＳ、トイレ室（ＷＣ）を構成して成る。また、他方のルームには例えば平面で矩形状の桧材の枠組構成による浴槽Ｇと平面で円形状の例えば陶器による浴槽Ｇとが互いに隣接するように配置され、床面Ｐには本発明の畳敷構造による畳本体１が敷設されると共に、床面Ｐの一端側には両浴槽Ｇに一部がかかる状態で段差を介して置棚Ｔが設けられ、シングルルームにおけるいずれか一方の出入口Ｓ側には浴室Ｙと隔離された例えば循環濾過器等を格納配置する機械室ＰＳが設けられている。これは、例えば相互に隣接するシングルルームによってビジネスホテル内にやや大型の入浴設備を備えた共同浴場をリニューアル構成するものとしてある。
【００３７】
次に、畳本体の構成の一例について説明する。太番手のポリプロピレン繊維のマルチフィラメントを緯に配して成る人工ラッシュ（人工藺草）に、ナイロンの撚糸を経に配して畳糸として引目状もしくは目積状の畳目に織成することで畳表６を形成し、この畳表６に光触媒加工を施す。
【００３８】
また、図８に示すように、発泡合成樹脂から成る芯材２の片面に、ナイロン・モノフィラメントの三次元立体網編物３を張設し、この上に多孔加工による通気プレート４を張設し、さらにこの上に多孔加工による波形構造の通気クッションシート５を敷設する。
【００３９】
あるいは図９に示すように、発泡合成樹脂から成る芯材２の下面に防水・防塵・防黴シート１０を布設し、上面に強化プラスチックによる中空ボード１１を張設し、その上に多孔加工による通気クッションシート５を介して前記畳表６を被覆する。
【００４０】
あるいは図１０に示すように、発泡合成樹脂から成る芯材２の下面に硬質性ボード材１３、通気クッションシート５を布設し、上面には硬質性ボード材１３、通気クッションシート５、前記畳表６を被覆する。
【００４１】
このとき、畳本体１自体を床暖房として機能させる場合には、発泡合成樹脂から成る芯材２と畳表６との間に、周知の遠赤外線ＰＴＣヒーター１２を内蔵しても良い（図１１参照）。
【００４２】
そして、以上のように構成された畳本体１の周囲を取り巻くように、人工ラッシュに直交する側縁部に、撥水加工を施した畳縁布８を溝形に加工した薄板７の表面に接着して成る畳縁チャンネル部材９を嵌着する。こうして、合成繊維ラッシュの畳表６を備えた畳本体１が形成される。
【００４３】
このように形成された畳本体１は、仕切壁によって区画されたシングルルームあるいはツインルーム内の床面Ｐ、あるいは特に浴室Ｙ、更には必要があればトイレ室（ＷＣ）、洗面所（ＷＳ）等の床面Ｐに敷設され、またベッドＱに敷設される。
【図面の簡単な説明】
【００４４】
【図１】本発明を実施するための最良の形態を示す要部の斜視図である。
【図２】同じくビジネスホテルルーム構造の配置例を示す平面図である。
【図３】ビジネスホテルルーム構造の更に他の配置例を示す平面図である。
【図４】ビジネスホテルルーム構造の更に他の配置例を示す平面図である。
【図５】ビジネスホテルルーム構造の更に他の配置例を示す平面図である。
【図６】ビジネスホテルルーム構造の更に他の配置例を示す平面図である。
【図７】ビジネスホテルルーム構造の更に他の配置例を示す平面図である。
【図８】畳本体の構成例を示す一部切欠斜視図である。
【図９】畳本体の他の構成例を示す一部切欠斜視図である。
【図１０】畳本体の他の構成例を示す一部切欠斜視図である。
【図１１】畳本体の他の構成例を示す一部切欠斜視図である。
【符号の説明】
【００４５】
Ｐ…床面                                Ｑ…ベッド
Ｒ…カーペットタイル                    Ｓ…出入口
Ｌ…シーリング照明                      Ｔ…置棚
Ｄ…ドア                                Ｆ…フローリング
Ｇ…浴槽                                Ｈ…桧床
Ｙ…浴室                                Ｗ…窓
ＰＳ…機械室                            ＵＢ…バスルームユニット
ＷＣ…便器（トイレ室）                  ＷＳ…洗面台（洗面所）
ＳＧ…サウナ室                          Ｔ…置棚
１…畳本体                              ２…芯材
３…三次元立体網編物                    ４…通気プレート
５…通気クッションシート                ６…畳表
７…薄板                                ８…畳縁布
９…畳縁チャンネル部材                  １０…防水・防塵・防黴シート
１１…中空ボード                        １２…遠赤外線ＰＴＣヒーター
１３…硬質性ボード材
【図１】
2007197917.tif 000003
【図２】
2007197917.tif 000004
【図３】
2007197917.tif 000005
【図４】
2007197917.tif 000006
【図５】
2007197917.tif 000007
【図６】
2007197917.tif 000008
【図７】
2007197917.tif 000009
【図８】
2007197917.tif 000010
【図９】
2007197917.tif 000011
【図１０】
2007197917.tif 000012
【図１１】
2007197917.tif 000013